(57)【特許請求の範囲】
【請求項１】
略鉛直方向に設置された縦手すりと、
前記縦手すりの下方に設けられ、床面に押し当てられる床面押当部と、
前記縦手すりから両側方へ延出して設けられた第１方向の横軸材と、
上から視て前記第１方向の横軸材に対して交差する方向に、前記縦手すりから両側方へ延出して設けられた第２方向の横軸材と、
前記各方向の横軸材の端部にそれぞれ設けられ、壁面に押し当てられる壁面押当部と、
前記横軸材および前記壁面押当部に、前記壁面に対する突張力を発生させる横突張力発生手段と、
を備え、
前記床面押当部は、前記床面に押し当てられる部分が滑り止め部材で構成されており、
前記床面と前記滑り止め部材との間に水が浸入しないように、前記床面と前記滑り止め部材との境界をシールするコーキング剤を備えることを特徴とする手すり装置。
【請求項２】
請求項１に記載の手すり装置において、
前記縦手すりの上方に設けられ、天井面に押し当てられる天井面押当部と、
前記縦手すり、前記天井面押当部および前記床面押当部に、天井面および床面に対する突張力を発生させる縦突張力発生手段と、
をさらに備えることを特徴とする手すり装置。
【請求項３】
請求項１又は２に記載の手すり装置において、
前記床面押当部は、断面逆Ｖ字状の板材からなる支持板と、前記支持板の下に敷設された前記滑り止め部材と、
を有し、
前記支持板は、前記縦手すりの下端部に対してねじ材を用いて締結され、
前記滑り止め部材の上面に前記ねじ材の頭を収容する凹部が形成されている、
ことを特徴とする手すり装置。
【請求項４】
請求項１〜３の何れか１項に記載の手すり装置の設置方法であって、
前記床面における前記床面押当部の設置予定場所に、コーキング剤を塗布する工程と、
前記床面に塗布された前記コーキング剤の上に、前記床面押当部を載置する工程と、
前記床面押当部を前記床面に押し付けることにより、前記滑り止め部材と前記床面との間にあるコーキング剤を前記滑り止め部材の外側へはみ出させる工程と、
を含むことを特徴とする手すり装置の設置方法。
【発明の詳細な説明】
【技術分野】
【０００１】
本発明は、壁、床、天井等に釘、ビス等を打ち付けることなく手すりを設置できるようにする手すり装置に関する。
【背景技術】
【０００２】
この種の手すり装置として、特許文献１の第１図に縦手すりが開示されている。この縦手すりは、上下方向に延びた把持部の上下にそれぞれ天井側アタッチメントおよび床側アタッチメントを備えている。天井側アタッチメントは、把持部から天井に向かって拡径した拡径部を有し、上端面が天井面に接している。床側アタッチメントは、把持部側から床に向かって拡径した拡径部を有し、下端面が床面に接している。天井側アタッチメントと把持部との間には、スプリングを含む弾性支持機構が介装されており、床側アタッチメントと把持部との間には、突張力調整機構が介装されている。これらにより、縦手すりは、天井と床の間で突張力を発生し、その突張力により天井と床の間に固定される。
【先行技術文献】
【特許文献】
【０００３】
【特許文献１】特開２０００−３１４２２０号公報
【発明の概要】
【発明が解決しようとする課題】
【０００４】
特許文献１の第１図に開示されているような突張式の縦手すりは、天井および床が乾燥していることを前提として使用されるものであり、天井や床が水等で濡れ易い場所では、天井面および床面に対する縦手すりの上下端部の摩擦力が小さくなる。このため、使用時に縦手すりに水平方向への力が掛かると、縦手すりがぐらついたり、水平方向に移動したり、最悪の場合、縦手すりが天井と床の間から外れてしまうことが考えられる。
【０００５】
本発明は、かかる実情に鑑みて創案されたものであり、天井や床が水等で濡れる場所に設置され、使用時に縦手すりに水平方向の力が掛かっても、当該縦手すりが、ぐらつきにくく、水平方向に移動しにくい手すり装置を提供することを目的とする。
【課題を解決するための手段】
【０００６】
本発明の手すり装置は、略鉛直方向に設置された縦手すりと、前記縦手すりの下方に設けられ、床面に押し当てられる床面押当部と、前記縦手すりから両側方へ延出して設けられた第１方向の横軸材と、上から視て前記第１方向の横軸材に対して交差する方向に、前記縦手すりから両側方へ延出して設けられた第２方向の横軸材と、前記各方向の横軸材の端部にそれぞれ設けられ、壁面に押し当てられる壁面押当部と、前記横軸材および前記壁面押当部に、前記壁面に対する突張力を発生させる横突張力発生手段と、前記床面と前記床面押当部との間に水が浸入しないように、前記床面と前記床面押当部との境界をシールする水密材と、を備える。
【０００７】
かかる構成を備える手すり装置によれば、水密材によって、床面と床面押当部との間への水の浸入が防止されることから、床面と床面押当部との間の摩擦力を、床面が乾燥しているときと同程度に確保でき、縦手すりの設置状態の安定化が図られる。
【０００８】
前記構成を備える手すり装置において、前記縦手すりの上方に設けられ、天井面に押し当てられる天井面押当部と、前記縦手すり、前記天井面押当部および前記床面押当部に、天井面および床面に対する突張力を発生させる縦突張力発生手段と、をさらに備えるものとすることが望ましい。
【０００９】
かかる構成を備える手すり装置によれば、縦手すりに突張力が発生するため、床面押当部と床面との摩擦力が向上し、縦手すりの設置状態の更なる安定化が図られる。
【００１０】
前記構成を備える手すり装置において、前記水密材をコーキング剤とすることが望ましい。
【発明の効果】
【００１１】
本発明に係る手すり装置によれば、本装置が天井面や床面が水等で濡れる場所に設置され、使用時に縦手すりに水平方向の力が掛かっても、当該縦手すりは、ぐらつきにくく、水平方向に移動しにくいものとなる。
【図面の簡単な説明】
【００１２】
【図１】手すり装置を浴室に設置した状態を示す斜視図である。手前側の壁面および天井面の図示は省略している。
【図２】手すり装置の天井面押当部およびその周囲を示す斜視図である。
【図２Ａ】柱本体へ縦手すり上端部材を差し込む前の状態を示す図である。
【図３】手すり装置の床面押当部およびその周囲を示す斜視図である。
【図４】図３のＡ−Ａ断面図である。
【図５】図３のＢ−Ｂ断面図である。
【図６】壁面押当部およびその周囲を示す斜視図である。
【図７】図４に対応する図であって、床面が傾斜している例を示す図である。
【図８】他の実施形態に係る手すり装置を浴室に設置した状態を示す斜視図である。
【図９】他の実施形態に係る手すり装置を浴室に設置した状態を示す斜視図である。
【図１０】他の実施形態に係る手すり装置を浴室に設置した状態を示す斜視図である。
【図１１】他の実施形態に係る手すり装置の天井面押当部およびその周囲を示す斜視図である。
【図１２】図４に対応する図であって、コーキング剤を、床面と床面押当部の外縁部の境界のみに塗布したものを示す図である。
【発明を実施するための形態】
【００１３】
以下、本発明の実施の形態に係る手すり装置について説明する。図１に示すように、本実施形態に係る手すり装置１は、縦手すり２、天井面押当部３、床面押当部４、縦突張力発生手段６、横軸材７Ａ，７Ｂ、壁面押当部８、横突張力発生手段９、水密材１１等で構成されている。本実施形態では、浴室１２に設置された手すり装置１を例示する。
【００１４】
縦手すり２は、浴室１２の床面１３と天井面１４との間に立設されている。縦手すり２の上方には天井面押当部３が、縦手すり２の下方には、床面押当部４が設けられている。この縦手すり２は、円筒材からなる縦手すり本体１６（図２参照）と、縦手すり本体１６の上端部に挿入された縦手すり上部材２１（図２参照）と、縦手すり上部材２１に挿入されたボルト１７（図２参照）と、縦手すり本体１６の下端部内に挿入された縦手すり下端部材１８（図３参照）とで主に構成されている。なお、図２Ａに示すように、上記縦手すり上部材２１は、縦手すり本体１６に嵌入される大径筒部２１ａと、大径筒部２１ａの上端に固設された矩形平板２１ｂと、矩形平板２１ｂに固設された小径筒部２１ｃとで構成されており、小径筒部２１ｃにボルト１７が挿入されている。
【００１５】
天井面押当部３は、図２に示すように、天井面押圧板１９、滑り止め部材２０等で構成されている。天井面押圧板１９は、後述する縦突張力発生手段６により滑り止め部材２０を介して天井面１４を押圧する。この天井面押圧板１９としては、例えば矩形、円形等の平板を使用することができる。滑り止め部材２０は、天井面押圧板１９と天井面１４との間に介設され、天井面押圧板１９が天井面１４に対して面方向に滑ることを防止するものであり、天井面１４および天井面押圧板１９の双方に対して滑りにくいものが採用される。この滑り止め部材２０には、例えばシート状の発泡樹脂、合成樹脂等の樹脂材を採用することができる。なお、滑り止め部材２０は天井面押圧板１９に対して接着剤等にて接着してもよい。
【００１６】
床面押当部４は、図３に示すように、縦手すり２の下端に固定された断面逆Ｖ字状の板材からなる支持板２２と、支持板２２の下に敷設された滑り止め部材２５とで主に構成されている。滑り止め部材２５は、支持板２２の下面が床面１３に対して面方向に滑ることを防止するものであり、床面１３および支持板２２の双方に対して滑りにくいものが採用される。本実施形態では、この滑り止め部材２５の材質として合成ゴムが採用されている。
【００１７】
滑り止め部材２５は、図３および図４に示すように、支持板２２の下面の形状に対応した凸部２５ａと、支持板２２の両側部に沿って起立した起立部２５ｂとを有し、その底面は、床面１３に沿うように平坦な形状となっている。また、滑り止め部材２５の上面には、後述するビス２３の頭を収容する凹部２５ｄが形成されている。なお、この凹部２５ｄには、ビス２３の頭と当該凹部２５ｄとの隙間を埋める少量のスポンジ材（不図示）が充填されている。
【００１８】
床面押当部４は、図４および図５に示すように、縦手すり２の下端部に対してビス２３（ねじ材）により締結されている。詳細には、床面押当部４の支持板２２に形成されたねじ挿通穴２２ａに、下からビス２３が挿入されており、このビス２３が、縦手すり２の下端部に固設された板材２４の雌ねじ部に螺着されている。符号３１は、縦手すり本体１６が載置される縦手すり支持管であり、縦手すり下端部材１８にスライド可能に外嵌されている。この縦手すり支持管３１は、下端部が支持板２２の凸条に対応した形状となっている。
【００１９】
なお、図４では、床面１３が水平である場合を示しているが、図７に示すように、床面１３が水平面に対して傾斜している場合は、傾斜方向Ｘに床面押当部４の稜線２２ｂ（図３参照）を直交させて設置し、ビス２３を少し緩めることで、縦手すり２を鉛直方向に設置しつつ、床面押当部４の底面を床面１３に沿わせることができる。浴室等の床面は、通常、排水口に向かって水が流れるように勾配が設けられているため、このような床面に設置する場合に上記構造は有効となる。このようにする場合、柱支持管３１、縦手すり下端部材１８および板材２４と支持板２２の片側との間に隙間が生じるため、この隙間にコーキング剤１０を充填し内部への水の浸入を防止し、内部の防錆を図ることが望ましい。
【００２０】
縦突張力発生手段６は、縦手すり２、天井面押当部３および床面押当部４に、天井面１４および床面１３に対する突張力を発生させるものである。本実施形態では、縦突張力発生手段６は、図２に示すように、天井面押圧板１９の下面に上端部が連結されたボルト１７と、ボルト１７に螺着され、縦手すり上部材２１の上端部に支持された座金付ナット２６とで主に構成されている。座金付ナット２６を廻すことでボルト１７の縦手すり上部材２１からの延出長さを調整することができ、上記突張力を発生させることができる。
【００２１】
横軸材７Ａ，７Ｂは、第１方向の横軸材７Ａおよび第２方向の横軸材７Ｂで構成されている。図１に示すように、第１方向の横軸材７Ａは、浴室の対向する２つの壁面２７，２８間に垂直に配置され、第２方向の横軸材７Ｂは、浴室の対向する他の２つの壁面２９，３０間に垂直に配置されている。よって、本実施形態では、第１方向の横軸材７と第２方向の横軸材７とは上から視て垂直に交差している。なお、縦手すり２を少しでも安定的に設置するために、第１方向の横軸材７Ａの設置高さと第２方向の横軸材７Ｂの設置高さには、一定以上の差が設けられる。
【００２２】
横軸材７Ａ，７Ｂは、本実施形態では、図６に示すように、筒状部材３２、ボルト３３等で構成されている。筒状部材３２は、図２に示すように、縦手すり本体１６を貫通して設置されており、縦手すり本体１６に形成された雌ねじに螺着された止めボルト３４の先端に押圧されて軸方向へ移動不能に縦手すり本体１６に固定されている。本実施形態では、止めボルト３４として、金属製のボルトを使用しているが、全体が樹脂製のボルトや、金属製のボルトの先端部に樹脂が固着されたものなどを採用することにより、横軸材７Ａ，７Ｂにキズをつけないようにすることができる。一方、ボルト３３は、図６に示すように、先端部が壁面押当部８に連結され、基端側が筒状部材３２内に挿入されている。また、ボルト３３には、筒状部材３２の端部に係合した座金付ナット２６が螺着されている。
【００２３】
壁面押当部４は、図６に示すように、壁面押圧板３６、滑り止め部材３７等で構成されている。壁面押圧板３６としては、既述した天井面押圧板１９と同様のものを採用することができる。滑り止め部材３７としては、天井面押圧板１９と天井面１４との間に介設される滑り止め部材２０と同様のものを採用できる。
【００２４】
横突張力発生手段９は、横軸材７および壁面押当部８に、各壁面２７〜３０に対する突張力を発生させるものである。本実施形態では、横突張力発生手段９は、筒状部材３２に挿入されたボルト３３と、このボルト３３に螺着され筒状部材３２に当接した座金付ナット２６とで主に構成されている。すなわち、座金付ナット２６を廻すことで、筒状部材３２からのボルト３３の延出長さを調整でき、横軸材７Ａ，７Ｂに突張力を発生させることができる。
【００２５】
水密材１１は、床面１３と床面押当部４（滑り止め部材２５）との間に水が浸入しないように、床面１３と床面押当部４（滑り止め部材２５）との境界をシールするものである。本実施形態では、水密材１１としてコーキング剤が使用されている。なお、床面押当部４の支持板２２と滑り止め部材２５との間にも水が浸入しないように、これらの間に水密材（コーキング剤）を設けてもよい。
【００２６】
以下、上記手すり装置１を浴室１２内に設置する際の手順の一例を説明する。
【００２７】
先ず、手すり装置１の設置に先立って、浴室１２の床面１３、天井面１４、壁面２７〜３０を十分に乾燥させる。
【００２８】
上記乾燥が完了した後、床面１３において、床面押当部４の設置予定場所に、マスキング処置を施し、コーキング剤を塗布する。なお、必要に応じて、床面押当部４の支持板２２と滑り止め部材２５との間にもコーキング剤を塗布しておいてもよい。
【００２９】
次いで、床面１３に塗布されたコーキング剤の上に、縦手すり２に取り付けられた床面押当部４を載置し、縦手すり本体１６から延出するボルト１７の長さを調節することにより当該縦手すり２に突張力を発生させる。これにより、床面押当部４が床面１３を押し付け、これらの間にあるコーキング剤が床面押出部４の外側へはみ出す。その後、床面押出部４の外側へはみ出した余分なコーキング剤を拭き取る。
【００３０】
つぎに、縦手すり本体１６に横軸材７Ａ，７Ｂを挿通し、各横軸材７Ａ，７Ｂの端部から延出するボルト３３の長さを調節することにより、壁面押当部８を各壁面２７〜３０に押し当てながら、各横軸材７Ａ，７Ｂに突張力を発生させる。その後、止めボルト３３を締め付けて各横軸材７Ａ，７Ｂと縦手すり２とを相互に固定する。
【００３１】
その後、コーキング剤が固まることにより、手すり装置１の設置作業が完了し、縦手すり２は、鉛直方向を向いた状態で浴室１２内に固定される。
【００３２】
このようにして設置された手すり装置１によれば、使用者が縦手すり２を掴んで、当該縦手すり２に水平方向の力（水平力）が掛かっても、その水平力は、横軸材７等を介して壁面２７〜３０に支持されるとともに、床面１３と床面押当部４との間の摩擦力と、天井面１４と天井面押当部３との間の摩擦力とによっても支持される。このため、縦手すり２は、ぐらついたり、水平方向に移動することもなく、床面１３と天井面１４との間に安定的に固定された状態を維持する。
【００３３】
浴室１２を使用する際には、床面１３が水で濡れることとなるが、手すり装置１では、水密材１１によって、床面１３と床面押当部４との間への水の浸入が防止されていることから、床面１３と床面押当部４との間の摩擦力を、床面１３が乾燥しているときと同程度に確保できる。このため、浴室１２の使用により、床面１３が水で濡れても、床面１３が乾燥しているときと同様に、縦手すり２は安定した状態を維持することができる。
【００３４】
＜他の実施形態＞
既述の実施形態においては、手すり装置１は浴室１２に設置されたものであったが、手すり装置１は、浴室１２以外の室内（例えばトイレ、洗面所、台所等の水回り）に設置して使用することも可能である。
【００３５】
既述の実施形態において、天井面押当部３およびボルト１７を省略した図８に示すような手すり装置１Ａとしても、一定の効果が得られる。この場合、縦手すり２Ａに突張力が発生しないため、床面押当部４と床面１３との摩擦力は低下するが、縦手すり２等の自重により、床面押当部４が床面１３に押し当てられるため、一定の摩擦力は得られる。
【００３６】
既述の実施形態では、縦手すり２は１本のみであったが、例えば図９に示すように、第１の方向に縦手すり２を複数本（図９では２本）設けた手すり装置１Ｂや、例えば図１０に示すように、第２の方向に縦手すり２を複数本（図１０では２本）設けた手すり装置１Ｃとしてもよい。
【００３７】
既述の実施形態では、縦手すり２から両側方へ延出した第１の方向の横軸材７Ａは、縦手すり２内で連続した各１本の部材からなるものであったが、例えば図１１に示すように、縦手すり２から壁面２７側へ延出する第１の方向の横軸材７Ａと、縦手すり２から壁面２８側へ延出する第１の方向の横軸材７Ａとを別々の部材からなるものとしてもよい。また、同図に示すように、縦手すり２から壁面２９側へ延出する第２の方向の横軸材７Ｂと、縦手すり２から壁面３０側へ延出する第２の方向の横軸材７Ｂとを別々の部材からなるものとしてもよい。
【００３８】
既述の実施形態では、床面押当部４の設置予定場所に先にコーキング剤を塗布し、当該コーキング剤の上に、床面押当部４を載せ、床面押出部４からはみ出した余分なコーキング剤を拭き取るようにしていたが、コーキング剤を塗布する前に、床面押当部４および縦手すり２を設置し、その後、床面１３と床面押当部４との間に水が浸入しないように、床面１３と床面押当部４の外縁部の境界のみに全周に亘ってコーキング剤（水密材１１）を塗布するようにしてもよい（図１２参照）。また、既述の実施形態では、必要に応じて、床面押当部４の支持板２２と滑り止め部材２５との間にもコーキング剤を塗布しておいてもよいとしたが、当該コーキング剤を塗布する前に、床面押当部４（支持板２２と滑り止め部材２５との間にコーキング剤が塗布されていない床面押当部４）と縦手すり２を設置し、その後、支持板２２と滑り止め部材２５との間に水が浸入しないように、滑り止め部材２５と支持板２２の外縁部の境界のみに全周に亘ってコーキング剤（水密材）を塗布するようにしてもよい（不図示）。
【符号の説明】
【００３９】
１    手すり装置
２    縦手すり
３    天井面押当部
４    床面押当部
６    縦突張力発生手段
７Ａ  第１方向の横軸材
７Ｂ  第２方向の横軸材
８    壁面押当部
９    横突張力発生手段
１１  水密材（コーキング剤）
１３  床面
１４  天井面
２７〜３０  壁面
【図１】
0006787560.tif 000002
【図２】
0006787560.tif 000003
【図２Ａ】
0006787560.tif 000004
【図３】
0006787560.tif 000005
【図４】
0006787560.tif 000006
【図５】
0006787560.tif 000007
【図６】
0006787560.tif 000008
【図７】
0006787560.tif 000009
【図８】
0006787560.tif 000010
【図９】
0006787560.tif 000011
【図１０】
0006787560.tif 000012
【図１１】
0006787560.tif 000013
【図１２】
0006787560.tif 000014